(57)【要約】【課題】親の主寝室と子供部屋とを入れ替えても、子供部屋の形状を左，右対称等とすることが出来、家族構成及び生活スタイルの変化に容易に対応できる住宅構造を提供する。【解決手段】平面視略長方形形状の居室空間１５は、可動収納間仕切り１６，１７，１８，１９，２０が用いられて、区画されることにより、親の居室空間を含む２つの居室空間２１，２２に、主に区画される。この居住空間１５の各居室空間２１，２２には、天井部分に、手元リモコン機によって、点消灯可能な照明装置２３，２３及び２４が設けられている。また、両居室空間２１，２２の間に位置する移動動線Ｆ１，Ｆ２に沿って、天井部にダウンライト２５…が設けられている。【選択図】図１
2008261100.tif 000002
【特許請求の範囲】
【請求項１】
同一階内の居室空間内を、可動間仕切り壁若しくは可動収納間仕切りを用いて、区画することにより、少なくとも、２つの居室空間に区画する住宅構造であって、
前記２つの居室空間のうち、環境条件の比較的良好な一の居室空間に、フリースペースを設けると共に、他の居室空間に、子育てを行う親の主寝室を設定して、子供の成長に合わせて、親の主寝室を前記一の居室空間に移動させて、前記他の居室空間を、子供部屋とすることで、親子居室を逆転させることを特徴とする住宅構造。
【請求項２】
前記主寝室を前記一の居室空間に移動させた状態で、前記他の居室空間と、一の居室空間との間に、前記両居室空間を略分離する固定隔壁部を形成することを特徴とする請求項１記載の住宅構造。
【請求項３】
前記各居室空間の天井部には、手元リモコン機によって、点消灯可能な照明装置が設けられていることを特徴とする請求項１又は２記載の住宅構造。
【請求項４】
前記両居室空間の間に位置する移動動線に沿って、天井部にダウンライトが設けられていることを特徴とする請求項１乃至３のうち、何れか一項記載の住宅構造。
【発明の詳細な説明】
【技術分野】
【０００１】
本発明は、家族構成・生活スタイルの変化を考慮して、親子の居室を逆転させることが可能な親子居室逆転住宅構造に関するものである。
【背景技術】
【０００２】
従来、図７に示すような住宅構造が知られている（例えば、特許文献１等参照。）。
【０００３】
このような従来の住宅構造は、子供の成長に合わせて、子供部屋１を、２つの子供部屋１ａ，１ｂに区画する間仕切り壁２が、設けられたり、或いは、この子供部屋１と親世帯の主寝室３との間を区画する間仕切り壁４が、設けられているものが知られている。
【０００４】
次に、この従来の住宅構造の作用効果について説明する。
【０００５】
このように構成された従来の住宅構造では、子供の成長、独立に対応して、前記間仕切り壁２，４を適宜、挿脱着することにより、前記主寝室３と、子供部屋１との間取りを容易に変更して、居住スペースの有効活用を図ることができる。
【０００６】
また、図８に示すような住宅構造も知られている（例えば、特許文献２等参照。）。
【０００７】
このようなものでは、子供部屋５を、２つの子供部屋５ａ，５ｂに区画したり、或いは、この子供部屋５ａ，５ｂと親の主寝室６との間を区画する為、可変間仕切り壁若しくは、稼働間仕切り収納装置７，８が、設けられている。
【特許文献１】特開平９−４９３３９号公報（第００１４段落乃至第００２５段落、図１乃至図５）
【特許文献２】特開２００１−３３６２９３号公報 （第０００７段落乃至第００１７段落、図６）
【発明の開示】
【発明が解決しようとする課題】
【０００８】
しかしながら、このような従来の住宅構造では、子供部屋５を、２つの子供部屋５ａ，５ｂに区画したり、或いは、この子供部屋５ａ，５ｂと親の主寝室６との間を区画することはできるが、通風及び採光等の親の主寝室６と、子供部屋５ａ，５ｂとの位置を根本的に変更することは、子供部屋５ａ，５ｂが、左，右対称形とならず、現実的ではなかった。
【０００９】
そこで、この発明は、親の主寝室と子供部屋とを入れ替えても、子供部屋の形状を左，右対称等とすることが出来、家族構成及び生活スタイルの変化に容易に対応できる住宅構造を提供することを課題としている。
【課題を解決するための手段】
【００１０】
上記目的を達成するために、請求項１に記載された発明は、同一階内の居室空間内を、可動間仕切り壁若しくは可動収納間仕切りを用いて、区画することにより、少なくとも２つの居室空間に区画する住宅構造であって、
前記２つの居室空間のうち、環境条件の比較的良好な一の居室空間に、フリースペースを設けると共に、他の居室空間に、子育てを行う親の主寝室を設定して、子供の成長に合わせて、親の主寝室を前記一の居室空間に移動させて、前記他の居室空間を、子供部屋とすることで、親子居室を逆転させる住宅構造を特徴とする。
【００１１】
また、請求項２に記載されたものは、前記主寝室を前記一の居室空間に移動させた状態で、前記他の居室空間と、一の居室空間との間に、前記両居室空間を略分離する固定隔壁部を形成する請求項１記載の住宅構造を特徴としている。
【００１２】
更に、請求項３に記載されたものは、前記各居室空間の天井部には、手元リモコン機によって、点消灯可能な照明装置が設けられている請求項１又は２記載の住宅構造を特徴としている。
【００１３】
また、請求項４に記載されたものは、前記両居室空間の間に位置する移動動線に沿って、天井部にダウンライトが設けられている請求項１乃至３のうち、何れか一項記載の住宅構造を特徴としている。
【発明の効果】
【００１４】
このように構成された請求項１記載の発明では、前記同一階内の居室空間内を、区画する可動間仕切り壁若しくは可動収納間仕切りが、取り外し及び移動可能であるので、親子居室を逆転させる際に、充分な家具等の移動スペースを確保することができる。
【００１５】
このため、環境条件の比較的良好な一の居室空間に、フリースペースを設けることにより、趣味・遊びの部屋として、他の居室空間を落ち着いた親の主寝室とすることができる。
【００１６】
子供が小さいとき（０歳〜３歳程度）には、該フリースペースを子供の遊び場、等とすることができる。
【００１７】
そして、子供の成長に伴い、親子居室を逆転させると、親の主寝室が、前記他の居室空間から、一の居室空間に移動されて、昼間在宅する可能性の高い奥様の居住スペースとして、環境条件の比較的良好な空間が使用できる。
【００１８】
また、前記他の居室空間が、子供部屋となるので、子供の成長に合わせて、最適な間取りとすることが出来る。
【００１９】
例えば、親子居室が逆転しても、他の居室空間が、可動間仕切り壁若しくは可動収納間仕切りを用いて、区画することにより、二人の子供の居住空間として適した略対称形等となるように、容易に変更できる。
【００２０】
また、請求項２に記載されたものは、前記主寝室を前記一の居室空間に移動させた状態で、前記他の居室空間と、一の居室空間との間に、前記両居室空間を略分離する固定隔壁部が形成されている。
【００２１】
このように、子供が、１０歳程度以下の場合は、収納家具のみで完全区画はせず、１０歳を超えた場合には、更に、前記固定隔壁部を付加することで、他の居室空間と、一の居室空間とを完全区画することが出来る。
【００２２】
従って、更に、プライバシー性を向上させることが出来る。
【００２３】
更に、請求項３に記載されたものは、前記各居室空間の天井部に設けられた照明装置が、手元リモコン機によって、点消灯可能となるように構成されている。
【００２４】
このため、前記親子居室を逆転させる間取り変更に伴う可動間仕切り壁若しくは可動収納間仕切り等や、家具等の移動があっても、壁面スイッチのように家具の裏に隠れてしまうこと等が無く、手元リモコン機で操作して、点消灯可能である。
【００２５】
また、請求項４に記載されたものは、前記両居室空間の間に位置する移動動線に沿って、天井部にダウンライトが設けられている。
【００２６】
このため、可動間仕切りで、区画される各居室空間に一定の光量の照明光を与えることができると共に、固定隔壁部により、区画された後は、例えば、一の居室空間と、他の居室空間との間に設けられた廊下の照明として、前記ダウンライトを用いることが出来る。
【００２７】
従って、天井部の照明器具の変更を行う必要がないので、更に容易に、親子居室を逆転させることが出来る。
【発明を実施するための最良の形態】
【００２８】
次に、図面に基づいて、この発明を実施するための最良の実施の形態の親子の居室が逆転可能な住宅構造について、説明する。なお、前記従来例と同一乃至均等な部分については、同一符号を付して説明する。
【実施例１】
【００２９】
図１乃至図４は、この発明の実施の形態の実施例１の住宅構造を示している。
【００３０】
まず、この実施の形態の住宅構造の構成から説明すると、この住宅としてのユニット建物１０では、桁の長手方向を並設してなる建物ユニット１１…，１２が、鉄骨ラーメン構造の金属フレームによって、主に構成されている。
【００３１】
このうち、図１に示すように、図中下側に位置する２つの建物ユニット１１，１１には、桁妻繋ぎで、階段室１４を有する建物ユニット１３が組み合わせられている。
【００３２】
図１は、主に、ユニット建物１０の同一階内である二階部分が、前記建物ユニット１１…，１２の桁面同士を連続させて接続されることにより、平面視略長方形形状の居室空間１５が、形成されている。
【００３３】
この居室空間１５は、可動収納間仕切り１６，１７，１８，１９，２０が用いられて、区画されることにより、親の居室空間を含む２つの居室空間２１，２２に、主に区画されるように構成されている。
【００３４】
この居住空間１５の各居室空間２１，２２には、図示省略の天井部分に、手元リモコン機によって、点消灯可能な照明装置２３，２３及び２４が設けられている。
【００３５】
また、この実施の形態では、前記両居室空間２１，２２の間に位置する移動動線Ｆ１，Ｆ２に沿って、天井部にダウンライト２５…が設けられている。
【００３６】
次に、図２乃至図５に沿って、この発明の実施の形態の住宅構造の作用効果について説明する。
【００３７】
まず、図２に示す若年夫婦の使用例では、前記２つの居室空間２１，２２のうち、南側に面して、環境条件の比較的良好な一の居室空間２２に、フリースペースが設けられている。
【００３８】
そして、北側の他の居室空間２１には、ベッド２６が置かれて、親の主寝室として使用される。
【００３９】
また、図３に示すように、子育て前期では、北側に位置する他の居室空間２１には、ベビーベッド２７等を用いて子育てを行う親の主寝室が設定されている。
【００４０】
更に、図４に示すように、子育て前期の他の使用例では、前記他の居室空間２１である親の主寝室及び２段ベッド２８が載置されてなる子供部屋としての居室空間２２との間にに、前記各可動収納間仕切り１７，１８，１９が用いられて区画されることにより、移動動線Ｆ１に沿う廊下を兼ねたファミリークローゼットスペースＦＣが設けられている。
【００４１】
そして、図５に示すように、子供の成長に合わせて、前記ベッド２６を移動して、親の主寝室を前記一の居室空間２２に移動させて、前記他の居室空間２１を、子供部屋とすることで、親子の居室空間２１，２２を逆転させるように構成されている。
【００４２】
また、図６に示すように、前記主寝室を前記一の居室空間２２に移動させた状態では、前記他の居室空間２１と、一の居室空間２２との間に、固定隔壁部２９及び、前記両居室空間２１，２２を略分離する前記可動収納間仕切り１６，１６及び１７，１７が用いられて、子供室と主寝室との間に、区画されたＰＣコーナー３０が設けられている。
【００４３】
このように、前記ユニット建物の二階の居室空間１５内を、区画する可動収納間仕切り１６，１７，１８，１９，２０が、取り外し及び移動可能であるので、親子の居室を逆転させる際に、ベッド２６等の家具等の充分な移動スペースを確保することができる。
【００４４】
このため、図２に示すように、環境条件の比較的良好な一の居室空間２２に、フリースペースを設けることにより、趣味・遊びの部屋とすると共に、北側に面した他の居室空間２１を落ち着いた親の主寝室とすることができる。
【００４５】
また、子供が小さいとき（０歳〜３歳程度）には、図３に示すように、前記居室空間２２のフリースペースを子供の遊び場、等とすることができる。
【００４６】
そして、図１、図５、及び図６に示すように、子供の成長に伴い、親子の居室を逆転させると、親の主寝室が、前記他の居室空間２１から、一の居室空間２２に移動されて、昼間在宅する可能性の高い奥様の居住スペースとして、環境条件の比較的良好な南側に面した空間が使用できる。
【００４７】
また、前記他の居室空間２１が、子供部屋となるので、子供の成長に合わせて、最適な間取りとすることが出来る。
【００４８】
例えば、親子の居室が逆転しても、図１及び図６に示されるように、他の居室空間２１が、可動収納間仕切り１９，２０を用いて、２つの子供部屋２１ａ，２１ｂに区画されることにより、二人の子供の居住空間として適した略対称形等となるように、容易に変更できる。
【００４９】
また、図１では、前記主寝室を前記一の居室空間２２に移動させた状態で、前記他の居室空間２１と、一の居室空間２２との間に、前記両居室空間２１，２２を略分離する固定隔壁部２９が形成されている。
【００５０】
このように、図４及び図５では、子供が、１０歳程度以下の場合は、収納家具である可動収納間仕切りのみで、完全区画はせず、１０歳を超えた場合には、ベッド２６等の大型家具の移動が終了しているので、図１に示すように、更に、前記固定隔壁部２９を付加することで、他の居室空間２１と、一の居室空間２２とを完全区画することが出来る。
【００５１】
従って、更に、プライバシー性を向上させることが出来る。
【００５２】
更に、前記各居室空間２１の天井部に設けられた照明装置２３，２３，２４が、手元リモコン機によって、点消灯可能となるように構成されている。
【００５３】
このため、前記親子の居室を逆転させる間取り変更に伴う可動収納間仕切り１６等や、家具等の移動があっても、壁面スイッチのように家具の裏に隠れてしまうこと等が無く、手元リモコン機で操作して、点消灯可能である。
【００５４】
また、前記両居室空間２１，２２の間に位置する移動動線Ｆ１，Ｆ２に沿って、天井部にダウンライト２５…が設けられている。
【００５５】
このため、可動収納間仕切り１６で、区画される各居室空間２１，２２に一定の光量の照明光を与えることができると共に、固定隔壁部２９により、区画された後は、例えば、一の居室空間２２と、他の居室空間２１との間に設けられた廊下の照明として、前記ダウンライト２５…を用いることが出来る。
【００５６】
従って、天井部の照明器具の変更を行う必要がないので、更に容易に、親子の居室を逆転させることが出来る。
【００５７】
以上、図面を参照して、本発明の実施の形態を詳述してきたが、具体的な構成は、この実施の形態に限らず、本発明の要旨を逸脱しない程度の設計的変更は、本発明に含まれる。
【００５８】
即ち、前記実施の形態の実施例１では、各プランで、可動収納間仕切り１６…が、用いられているものを示して説明してきたが、特にこれに限らず、例えば、可動間仕切り壁若しくは、可動間仕切り壁と可動間仕切り収納とを混在させて用いても良く、可動部材の形状、数量及び材質が、特に限定されるものではない。
【００５９】
また、前記ダウンライト２５…を、予め移動動線Ｆ１，Ｆ２に沿って、天井部に設けた居室空間１５を示して説明してきたが、特にこれに限らず、例えば、図６に示すように、一の居室空間の天井部に、ダウンライト２５…を増設してもよく、ダウンライト２５及び前記照明装置２３，２４の形状、数量及び材質が、特に限定されるものではない。
【図面の簡単な説明】
【００６０】
【図１】この発明の最良の実施の形態の住宅構造で、子育て後期の間取りプランの一例を説明する建物ユニットの２階部分の平面図である。
【図２】実施の形態の住宅構造で、若年夫婦の使用に適した間取りプランの一例を説明する建物ユニットの２階部分の平面図である。
【図３】実施の形態の住宅構造で、子育て前期の間取りプランの一例を説明する建物ユニットの２階部分の平面図である。
【図４】実施の形態の住宅構造で、子育て前期の間取りプランの他の例を説明する建物ユニットの２階部分の平面図である。
【図５】実施の形態の住宅構造で、子育て前期の間取りプランのその他の例を説明する建物ユニットの２階部分の平面図である。
【図６】実施の形態の住宅構造で、子育て後期の間取りプランのその他の例を説明する建物ユニットの２階部分の平面図である。
【図７】一従来例の住宅構造で、隣接配置される主寝室と子供部屋とを示す平面図である。
【図８】他の従来例の住宅構造で、隣接配置される主寝室と子供部屋の間取りを変更する様子を示す平面図である。
【符号の説明】
【００６１】
１０        ユニット建物（住宅）
１５        居室空間
１６〜２０  可動収納間仕切り
２１        他の居室空間
２１ａ，２１ｂ
子供部屋
２２        一の居室空間
２３，２４  照明装置
２５        ダウンライト
２９        固定隔壁部
【図１】
2008261100.tif 000003
【図２】
2008261100.tif 000004
【図３】
2008261100.tif 000005
【図４】
2008261100.tif 000006
【図５】
2008261100.tif 000007
【図６】
2008261100.tif 000008
【図７】
2008261100.tif 000009
【図８】
2008261100.tif 000010